【手続補正書】
【提出日】平成26年4月15日(2014.4.15)
【手続補正１】
【補正対象書類名】特許請求の範囲
【補正対象項目名】全文
【補正方法】変更
【補正の内容】
【特許請求の範囲】
【請求項１】
制御対象に対して個別に電力供給状態又は電力遮断状態に遷移させる遷移手段と、
前記電力遮断状態で移動体を検出する検出手段と、
前記検出手段で移動体を検出した時点で特定の領域内を撮像する撮像手段と、
前記撮像された画像の画像情報に基づいて前記移動体が前記制御対象に接近することが判明した場合に、前記制御対象を電力供給状態に遷移させるように指示する指示手段と、
前記撮像手段で撮像した画像の内、特徴画像の画像情報に基づいて個体を認識する個体認識手段と、
を有する電力供給制御装置。
【請求項２】
前記制御対象が、電力の供給を受けて処理を実行する処理部と、前記処理部の動作指示情報を受け付ける機能並びに前記処理部の動作状態情報を報知する機能を備えたインターフェイス部と、前記処理部及び前記インターフェイス部のそれぞれの動作を制御する制御部と、を含み、
前記個体認識手段は、前記移動体が少なくとも前記インターフェイス部を操作するまでに個体認識を完了させる請求項１記載の電電力供給制御装置。
【請求項３】
前記検出手段が、検出領域内での少なくとも移動体の移動を検出する焦電型検出手段、少なくとも熱源から受ける熱量に応じた電気信号を出力する熱源検出素子を縦横に複数個配列することで多画素化された二次元配列型熱源検出手段、検出領域内での移動体の有無を検出する反射型検出手段、の何れか１つを含む請求項１又は請求項２記載の電力供給制御装置。
【請求項４】
請求項１〜請求項３の何れか１項記載の電力供給制御装置を備え、
前記制御対象が、原稿画像から画像を読み取る画像読取部、画像情報に基づいて記録用紙に画像を形成する画像形成部、予め相互に定められた通信手順の下で画像を送信先へ送受信するファクシミリ通信制御部の少なくとも１つを含む画像処理装置。
【請求項５】
コンピュータに、
電力供給状態又は電力遮断状態に遷移させる制御対象が電力遮断状態のとき、移動体を検出した時点で撮像手段により特定の領域内を撮像し、
撮像された画像の画像情報に基づいて前記移動体が前記制御対象に接近することが判明した場合に、前記制御対象を選択的に電力供給状態に遷移させるように指示し、
前記撮像した画像の内、特徴画像の画像情報に基づいて個体認識する機能を実行させる電力供給制御プログラム。
【手続補正２】
【補正対象書類名】明細書
【補正対象項目名】００１０
【補正方法】変更
【補正の内容】
【００１０】
請求項１に記載の発明は、制御対象に対して個別に電力供給状態又は電力遮断状態に遷移させる遷移手段と、前記電力遮断状態で移動体を検出する検出手段と、前記検出手段で移動体を検出した時点で特定の領域内を撮像する撮像手段と、前記撮像された画像の画像情報に基づいて前記移動体が前記制御対象に接近することが判明した場合に、前記制御対象を電力供給状態に遷移させるように指示する指示手段と、前記撮像手段で撮像した画像の内、特徴画像の画像情報に基づいて個体認識する個体認識手段と、を有している。
【手続補正３】
【補正対象書類名】明細書
【補正対象項目名】００１１
【補正方法】変更
【補正の内容】
【００１１】
請求項２に記載の発明は、前記請求項１に記載の発明において、前記制御対象が、電力の供給を受けて処理を実行する処理部と、前記処理部の動作指示情報を受け付ける機能並びに前記処理部の動作状態情報を報知する機能を備えたインターフェイス部と、前記処理部及び前記インターフェイス部のそれぞれの動作を制御する制御部と、を含み、前記個体認識手段は、前記移動体が少なくとも前記インターフェイス部を操作するまでに個体認識を完了させる。
【手続補正４】
【補正対象書類名】明細書
【補正対象項目名】００１３
【補正方法】変更
【補正の内容】
【００１３】
請求項４に記載の発明は、請求項１〜請求項３の何れか１項記載の電力供給制御装置を備え、前記制御対象が、原稿画像から画像を読み取る画像読取部、画像情報に基づいて記録用紙に画像を形成する画像形成部、予め相互に定められた通信手順の下で画像を送信先へ送受信するファクシミリ通信制御部の少なくとも１つを含む画像処理装置である。
【手続補正５】
【補正対象書類名】明細書
【補正対象項目名】００１４
【補正方法】変更
【補正の内容】
【００１４】
請求項５に記載の発明は、コンピュータに、電力供給状態又は電力遮断状態に遷移させる制御対象が電力遮断状態のとき、移動体を検出した時点で撮像手段により特定の領域内を撮像し、撮像された画像の画像情報に基づいて前記移動体が前記制御対象に接近することが判明した場合に、前記制御対象を選択的に電力供給状態に遷移させるように指示し、前記撮像した画像の内、特徴画像の画像情報に基づいて個体認識する機能を実行させる電力供給制御プログラムである。
【手続補正６】
【補正対象書類名】明細書
【補正対象項目名】００２４
【補正方法】変更
【補正の内容】
【００２４】
画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一時的に記憶したり、読み取った画像データを画像形成部２４０又はファクシミリ通信制御回路２３６へ送出したりする。
【手続補正７】
【補正対象書類名】明細書
【補正対象項目名】００３１
【補正方法】変更
【補正の内容】
【００３１】
また、画像処理装置１０は、電源装置２０２を備えており、メインコントローラ２００とはハーネス３３Ｅで接続されている。電源装置２０２は、商用電源２４２から電力の供給を受けている。電源装置２０２では、メインコントローラ２００に電力を供給すると共に（図３の点線参照）、その他のデバイスであるファクシミリ通信制御回路２３６、画像読取部２３８、画像形成部２４０、ＵＩタッチパネル２１６のそれぞれに対して独立して電力を供給する電力供給線３５Ａ〜３５Ｄが設けられている。このため、メインコントローラ２００では、各処理部（デバイス）に対して個別に電力供給（電力供給モード）、或いは電力供給遮断（スリープモード）し、所謂部分節電制御を可能としている。
【手続補正８】
【補正対象書類名】明細書
【補正対象項目名】００４７
【補正方法】変更
【補正の内容】
【００４７】
ファクシミリ通信制御回路電源供給部２６４は、２４Ｖ電源部２５０Ｈ（ＬＶＰＳ２）と５Ｖ電源部２５０Ｌ（ＬＶＰＳ１）を入力源として、第５のサブ電源スイッチ２７４（以下、「ＳＷ−５」という場合がある。）を介して、ファクシミリ通信制御回路２３６に接続されている。
【手続補正９】
【補正対象書類名】明細書
【補正対象項目名】００４８
【補正方法】変更
【補正の内容】
【００４８】
ＵＩタッチパネル電源供給部２６６は、５Ｖ電源部２５０Ｌ（ＬＶＰＳ１）と２４Ｖ電源部２５０Ｈ（ＬＶＰＳ２）を入力源として、第６のサブ電源スイッチ２７６（以下、「ＳＷ−６」という場合がある。）を介して、ＵＩタッチパネル２１６（バックライト部２１６ＢＬを含む）に接続されている。なお、ＵＩタッチパネル２１６の本来の機能（バックライト部２１６ＢＬを除く機能）へは、監視制御部２４から電源を供給可能としてもよい。
【手続補正１０】
【補正対象書類名】明細書
【補正対象項目名】００４９
【補正方法】変更
【補正の内容】
【００４９】
前記第２のサブ電源スイッチ２６８、第３のサブ電源スイッチ２７０、第５のサブ電源スイッチ２７４、第６のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。図示していないが、２４Ｖ電源部２５０Ｈと５Ｖ電源部２５０Ｌが供給されるスイッチや配線は、２系統で構成されている。また電源スイッチ２６８、２７０、２７４、２７６は電源装置２０２でなく、電源供給先の各デバイス内に配置されても良い。また、図示していない画像形成部の定着部（図３に示す「Ｆｕｓｅｒ」に相当）は、商用電源２４２（例えば、１００Ｖ）が、第１のサブ電源スイッチ２５６（「ＳＷ−１」）の下流側から直接供給され、画像形成部２４０で必要なときのみ通電される。
【手続補正１１】
【補正対象書類名】明細書
【補正対象項目名】００５６
【補正方法】変更
【補正の内容】
【００５６】
ここで、スリープモードで監視するためには、監視制御部２４以外に、節電制御ボタン２６や各検出部には節電中に必要最小限の電力を供給しておくことが好ましい。すなわち、電力非供給状態であるスリープモードであっても、予め定めた電力以下（例えば、０．５Ｗ以下）であり電力供給を行うか否かの判別制御に必要な電力の供給を受ける場合がある。このときの電力供給元は、商用電源２４２に限定されるものではなく、蓄電池、ソーラー電池や、商用電源２４２から電力が供給されているときに充電される充電池等であってもよい。商用電源２４２を用いないことで、スリープモード中の商用消費電力（電力代）を「０」とすることが可能である。
【手続補正１２】
【補正対象書類名】明細書
【補正対象項目名】００７２
【補正方法】変更
【補正の内容】
【００７２】
本実施の形態では、多機能カメラ２９で移動体の画像処理装置１０への接近、特にＵＩタッチパネル２１６への接近が確認された場合、例えば、スリープモードから特定のモード（メインコントローラ２００、ＵＩタッチパネル２１６の電力供給）へ移行する契機としている。なお、接近中は消灯しているバックライト部２１６ＢＬは、使用者がＵＩタッチパネル２１６に対峙したときに点灯を許可してもよい。
【手続補正１３】
【補正対象書類名】明細書
【補正対象項目名】００７４
【補正方法】変更
【補正の内容】
【００７４】
本実施の形態では、多機能カメラ２９のアクセス機能によって、前記移動体が接近し、かつＵＩタッチパネル２１６に対峙することが予測された場合、多機能カメラ２９は個体認識機能が起動するようになっている。
【手続補正１４】
【補正対象書類名】明細書
【補正対象項目名】００７９
【補正方法】変更
【補正の内容】
【００７９】
なお、多機能カメラ２９で撮影する対象は顔に限定されるものではなく、使用者６０が所持又は携帯している物品（ＩＤカードや書類）に付与されたバーコードやＱＲコード（登録商標）を撮影して、照合するようにしてもよい。
【手続補正１５】
【補正対象書類名】明細書
【補正対象項目名】００８０
【補正方法】変更
【補正の内容】
【００８０】
（人感センサ２８、多機能カメラ２９の配置構成）
図２に示される如く、人感センサ２８及び多機能カメラ２９は、画像処理装置１０の筐体１０Ａにおける、縦長矩形状のピラー部５０に取り付けられている。また、多機能カメラ２９は、ＵＩタッチパネル２１６の近傍に取り付けられている。
【手続補正１６】
【補正対象書類名】明細書
【補正対象項目名】００８１
【補正方法】変更
【補正の内容】
【００８１】
ピラー部５０は、主として前記画像読取部２３８を覆う上筐体と、主として画像形成部２４０を覆う下筐体とを連結する部分に柱状に設けられており、その内部は記録用紙搬送系等（図示省略）が組み付けられている。図５は、このピラー部５０の拡大図である。
【手続補正１７】
【補正対象書類名】明細書
【補正対象項目名】００８７
【補正方法】変更
【補正の内容】
【００８７】
この多機能カメラ２９によって撮影された特定の画像を解析することで、使用者６０がＵＩタッチパネル２１６に対峙するか否かを判定し、特定の画像から特徴画像を抽出して個体認識を実行する。本実施の形態では、特定の画像は、使用者の顔画像であり、個体認識は顔認識である。メインコントローラ２００では、多機能カメラ２９を用いて、ＵＩタッチパネル２１６に対峙するまでの間（接近中）に使用者６０の個体認識が実行され、個人が特定された場合は、画像処理装置１０の各デバイスの電力供給制御が実行される。
【手続補正１８】
【補正対象書類名】明細書
【補正対象項目名】００９８
【補正方法】変更
【補正の内容】
【００９８】
多機能カメラ２９の個体認識機能の仕様としては、例えば、個体認識機能をＩＣカード認証に代えて、画像処理装置１０に対峙する使用者の顔認識を行うことが可能である。多機能カメラ２９で撮影された顔画像が、顔画像データベースに基づく照合により認識された場合に、必要なデバイス（全デバイスを含む）に電力を供給する。顔認識は、顔認識に適したフィルタ構成（主として、顔の輪郭、目、鼻、口等が明確に検出されるようなフィルタ構成）とする。
【手続補正１９】
【補正対象書類名】明細書
【補正対象項目名】０１２６
【補正方法】変更
【補正の内容】
【０１２６】
また、ステップ１１４において、肯定判定されると、ステップ１１８へ移行して、使用者がＵＩタッチパネル２１６に対峙するか否かを判別する。すなわち、多機能カメラ２９で撮影した画像の解析により、使用者６０の位置が特定可能であり、ＵＩタッチパネル２１６へ使用者６０が対峙するか否かが判別可能である。
【手続補正２０】
【補正対象書類名】明細書
【補正対象項目名】０１３０
【補正方法】変更
【補正の内容】
【０１３０】
一方、前記ステップ１１８で肯定判定、すなわち、使用者６０の例えば、顔画像の撮影に成功し、使用者６０がＵＩタッチパネル２１６に対峙すると判別した場合は、ステップ１２２へ移行して、個体認識処理を実行する。個体認識処理は、撮影した顔画像を解析し、予めメインコントローラ２００のＲＯＭ２０８又はＨＤＤ２１８に登録した顔データベースと照合し、当該画像処理装置１０の使用許可を受けている使用者か否かを認証する。
【手続補正２１】
【補正対象書類名】明細書
【補正対象項目名】０１３４
【補正方法】変更
【補正の内容】
【０１３４】
図１０〜図１２は、前記図９のフローチャートに基づく動作パターン例である。なお、図１０〜図１２に示す記号Ｓ１〜記号Ｓ４は、図９の以下のステップ番号に対応しており、末尾の「Ｙ」又は「Ｎ」は当該ステップでの肯定／否定を示す。
【手続補正２２】
【補正対象書類名】明細書
【補正対象項目名】０１３５
【補正方法】変更
【補正の内容】
【０１３５】
（記号Ｓ１）図９のステップ１００
（記号Ｓ２）図９のステップ１０６
（記号Ｓ３）図９のステップ１１４
（記号Ｓ４）図９のステップ１１８
図１０は、最も単純に、使用者が画像処理装置１０へ接近したときの人感センサ２８、多機能カメラ２９の通電状態を示した遷移図である。
【手続補正２３】
【補正対象書類名】明細書
【補正対象項目名】０１３８
【補正方法】変更
【補正の内容】
【０１３８】
使用者６０を多機能カメラ２９で撮影して画像解析した結果、画像処理装置１０に接近することが予測されると（ステップ１０６の肯定判定「Ｓ２Ｙ」）、ＵＩタッチパネル２１６に通電する。
【手続補正２４】
【補正対象書類名】明細書
【補正対象項目名】０１３９
【補正方法】変更
【補正の内容】
【０１３９】
図１０（Ｃ）は、使用者６０（実線）がＵＩタッチパネル２１６に対峙した状態であり、多機能カメラ２９の個体認識機能による顔画像に基づく個体認識処理が実行される（ステップ１１４の肯定判定「Ｓ３Ｙ」、ステップ１１８の肯定判定「Ｓ４Ｙ」）。
【手続補正２５】
【補正対象書類名】明細書
【補正対象項目名】０１４３
【補正方法】変更
【補正の内容】
【０１４３】
しかしながら、図１１（Ｄ）は、使用者６０（実線）がさらに方向転換したため（ステップ１１４の肯定判定「Ｓ３Ｙ」）、ＵＩタッチパネル２１６に対峙した状態である（ステップ１１８の肯定判定「Ｓ４Ｙ」）．
一方、図１１（Ｅ）は、図１１（Ｃ）の状態から継続して、使用者６０（実線）が人感センサ２８の検出領域Ｆから離脱したため、多機能カメラ２９を非通電とした状態である（ステップ１０６の否定判定「Ｓ２Ｎ」）。
【手続補正２６】
【補正対象書類名】明細書
【補正対象項目名】０１５７
【補正方法】変更
【補正の内容】
【０１５７】
Ｗ    壁面
１０    画像処理装置
１０Ａ    筐体
１０Ｂ    扉
２０    ネットワーク通信回線網
２１    ＰＣ
２４    監視制御部
２６    節電制御ボタン
２８    第１のセンサ（人感センサ）
２９    第２のセンサ（多機能カメラ））
３３Ａ〜３３Ｄ    バス
３３Ｅ    ハーネス
３５Ａ〜３５Ｄ    電力供給線
４０    認証カメラユニット
４２    ベース部
４４    調整部
５０    ピラー部
５２    カバー部材
５５    スリット孔
５７    貫通孔
６０    使用者
２００    メインコントローラ
２０２    電源装置
２０４    ＣＰＵ
２０６    ＲＡＭ
２０８    ＲＯＭ
２１０    Ｉ／Ｏ
２１２    バス
２１４    ＵＩ制御回路
２１６    ＵＩタッチパネル
２１６ＢＬ    ＵＩタッチパネル用バックライト部
２１８    ハードディスク
２２０    タイマ回路
２２２    通信回線Ｉ／Ｆ
２３６    ファクシミリ通信制御回路
２３８    画像読取部
２４０    画像形成部
２４２    商用電源
２４３    配線プレート
２４４    入力電源線
２４５    コンセント
２４６    メインスイッチ
２４８    第１の電源部
２４８Ａ    制御用電源生成部
２５０    第２の電源部
２５０Ｈ    ２４Ｖ電源部
２５０Ｌ    ５Ｖ電源部
２５２    電源供給制御回路
２５４    電源線
２５６    第１のサブ電源スイッチ２５６（ＳＷ−１）
２５８    画像読取部電源供給部
２６０    画像形成部電源供給部
２６４    ファクシミリ通信制御回路電源供給部
２６６    ＵＩタッチパネル電源供給部
２６８    第２のサブ電源スイッチ（ＳＷ−２）
２７０    第３のサブ電源スイッチ（ＳＷ−３）
２７４    第５のサブ電源スイッチ（ＳＷ−５）
２７６    第６のサブ電源スイッチ（ＳＷ−６）